(57)【要約】【課題】  ハードウェアやソフトウェア等のインタフェースが異なる各種の情報通信端末や情報収集端末との間の情報のやり取りが可能で、また、拡張性に優れた医療介護施設管理システムを提供することにある。【解決手段】  医療介護施設の内外の情報通信ネットワークと接続され、各種の情報通信端末又は及び情報収集端末から各種の情報を受け取ると共に、各種の情報通信端末又は及び情報収集端末に対して自身が所持している機能やデータを提供するシステム管理装置を備え、システム管理装置が、各種の通信形態を有する各種の情報通信端末又は情報収集端末との間で情報の授受が可能なソフトウェア又は及びハードウェアを有していることを特徴とする。【選択図】図１
2016224509.tif 000002
【特許請求の範囲】
【請求項１】
医療施設や介護施設における患者や利用者やスタッフの行動に係る各種の情報を統合管理する医療介護施設管理システムにおいて、
該医療介護施設の内外の情報通信ネットワークと接続され、各種の情報通信端末又は及び情報収集端末から該各種の情報を受け取ると共に、該各種の情報通信端末又は及び情報収集端末に対して自身が所持している機能やデータを提供するシステム管理装置を備え、
該システム管理装置が、各種の通信形態を有する該各種の情報通信端末又は情報収集端末との間で情報の授受が可能なソフトウェア又は及びハードウェアを有していることを特徴とする医療介護施設管理システム。
【請求項２】
前記システム管理装置がサーバであり、前記各種の情報通信端末及び情報収集端末がクライアント端末であることを特徴とする請求項１記載の医療介護施設管理システム。
【請求項３】
前記システム管理装置が、ＳＩＰサーバであることを特徴とする請求項１又は請求項２記載の医療介護施設管理システム。
【請求項４】
前記システム管理装置が、プラットフォーム非依存であることを特徴とする請求項１〜請求項３のいずれかに記載の医療介護施設管理システム。
【請求項５】
前記システム管理装置が、前記各種の情報を保存・管理可能なことを特徴とする請求項１〜請求項４のいずれかに記載の医療介護施設管理システム。
【発明の詳細な説明】
【技術分野】
【０００１】
本発明は、医療施設や介護施設における患者や利用者やスタッフの行動に係る各種の情報を統合管理する医療介護施設管理システムに関する。
【背景技術】
【０００２】
従来より、医療施設や介護施設における患者や利用者やスタッフの行動に係る各種の情報を統合管理する医療介護施設管理システムの一角をなすものとして、ナースコールシステムがある。ナースコールシステムは、入院患者からの緊急呼出に看護師が対応するための呼出システムである。尚、ナースコールシステムにおいて、例えば、各種の携帯端末と接続して、利便性を向上させるためのシステムが提案されている。
【０００３】
例えば、特許文献１に示されるナースコールシステムは、スタッフ用携帯端末と患者用携帯端末とを有し、ナースコール親機において、患者用携帯端末を、特定のナースコール子機回線に対応するように設定登録することにより、ナースコール親機またはスタッフ用携帯端末と、当該回線のナースコール子機または患者用携帯端末との間で相互の呼出通話ができるようにしたことを特徴としている。
【先行技術文献】
【特許文献】
【０００４】
【特許文献１】特開２００７−１２４３１２号公報
【発明の概要】
【発明が解決しようとする課題】
【０００５】
しかしながら、従来の医療介護施設管理システムの一角をなすナースコールシステムは、あくまでもナースコールシステムのみで機能するもので、インタフェースの異なる他のシステムと接続することは困難で、拡張性に乏しく、また各種情報を一元的に扱うことが困難である。
【０００６】
本発明は、このような事情に鑑みてなされたもので、ハードウェアやソフトウェア等のインタフェースが異なる各種の情報通信端末や情報収集端末との間の情報のやり取りが可能で、また、拡張性に優れた医療介護施設管理システムを提供することにある。
【課題を解決するための手段】
【０００７】
請求項１記載の医療介護施設管理システムは、医療介護施設の内外の情報通信ネットワークと接続され、各種の情報通信端末又は及び情報収集端末から各種の情報を受け取ると共に、各種の情報通信端末又は及び情報収集端末に対して自身が所持している機能やデータを提供するシステム管理装置を備え、システム管理装置が、各種の通信形態を有する各種の情報通信端末又は情報収集端末との間で情報の授受が可能なソフトウェア又は及びハードウェアを有していることを特徴とする。
【０００８】
請求項２記載の医療介護施設管理システムは、システム管理装置がサーバであり、各種の情報通信端末及び情報収集端末がクライアント端末であることを特徴とする。
【０００９】
請求項３記載の医療介護施設管理システムは、システム管理装置が、ＳＩＰサーバであることを特徴とする。
【００１０】
請求項４記載の医療介護施設管理システムは、システム管理装置が、プラットフォーム非依存であることを特徴とする。
【００１１】
請求項５記載の医療介護施設管理システムは、システム管理装置が、各種の情報を保存・管理可能なことを特徴とする。
【発明の効果】
【００１２】
本願の発明によれば、ハードウェアやソフトウェア等のインタフェースが異なる各種の情報通信端末や情報収集端末との間の情報のやり取りが可能で、また、拡張性に優れている。
【図面の簡単な説明】
【００１３】
【図１】本発明に係る医療介護施設管理システムの一例を示す構成図である。
【発明を実施するための形態】
【００１４】
以下、本発明の形態について図面を参照しながら具体的に説明する。図１は、本発明に係る医療介護施設管理システムの一例を示す構成図である。図における医療介護施設管理システム１は、医療施設や介護施設における患者や利用者やスタッフの行動に係る各種の情報を統合管理するためのものである。
【００１５】
医療介護施設管理システム１は、情報通信ネットワーク１２、情報通信端末又は情報収集端末、システム管理装置１０等から構成されている。システム管理装置１０は、医療介護施設の内外の情報通信ネットワーク１２と接続され、各種の情報通信端末又は及び情報収集端末から各種の情報を受け取ると共に、各種の情報通信端末又は及び情報収集端末に対して自身が所持している機能やデータを提供するものである。
【００１６】
具体的には、システム管理装置１０は、各種の通信形態を有する各種の情報通信端末又は情報収集端末との間で情報の授受が可能なソフトウェア又は及びハードウェアを有している。すなわち、システム管理装置１０は、医療介護施設管理システム１において、システムの中核をなすサーバであり、サーバとして、クライアントである各種の情報通信端末又は情報収集端末からの要求（リクエスト）に応じて、サービス（処理）を提供する側である。
【００１７】
システム管理装置１０は、基本的には、電子計算機のハードウェア及び各種のソフトウェアで構成されており、各種の通信形態及び各種の電子的なインタフェース仕様を有する情報通信端末又は情報収集端末と情報通信ネットワーク１２を介して接続・通信可能な形態を有している。尚、システム管理装置１０と情報通信端末又は情報収集端末とを接続する情報通信ネットワーク１２は、例えば、ＬＡＮ形式のネットワーク網の他、電話線仕様や専用線等の形態でもよい。
【００１８】
また、個々の情報通信端末や情報収集端末とシステム管理装置１０との間が、異なる仕様の情報通信ネットワーク１２で接続されていても構わない。さらに、図に示すように、一般の電話回線や無線ＬＡＮや公衆のインターネット回線や携帯電話の公衆回線等の公衆回線網３も、情報通信ネットワーク１２のごとくシステム管理装置１０に接続することも可能である。
【００１９】
尚、システム管理装置１０の形態としては、具体的には、ＳＩＰ（Ｓｅｓｓｉｏｎ  Ｉｎｉｔｉａｔｉｏｎ  Ｐｒｏｔｏｃｏｌ）サーバの形態が考えられる。ＳＩＰサーバとしてのシステム管理装置１０は、ＳＩＰを使用して管理・制御を行なうもので、個々の情報通信端末や情報収集端末の電話番号などの識別情報とＩＰアドレスなどのネットワーク上の所在の対応データを管理し、システム管理装置１０を介して、通信をしたい情報通信端末や情報収集端末との間で発呼情報等の仲介を行う。但し、システム管理装置１０は、情報通信端末や情報収集端末との間で発呼情報等の仲介を行うだけではなく、情報通信端末又は及び情報収集端末に対して自身が所持している機能やデータを提供することも可能である。
【００２０】
情報通信端末や情報収集端末は、図に具体的に示すように、各種の電気情報通信端末が該当する。ここで、情報通信端末は、例えばコードレス電話機４４や無線基地局４２といった使用者が主体的に操作して情報の授受を行うことができる端末を指している。また、情報収集端末は、例えば監視カメラ５２といった装置自らが情報を収集し取得した情報を送信する端末を指している。尚、以下、情報通信端末や情報収集端末の具体例を説明するが、あくまでも一例であり、これらに限られるものではない。
【００２１】
情報通信端末や情報収集端末は、医療施設や介護施設における患者や利用者やスタッフの行動に係る各種の情報を、患者や利用者やスタッフが発信し、相互で通信を行い情報交換するものや、患者や利用者が通報といった形で発信してスタッフに伝えるものや、医療施設や介護施設の状況を監視し、その情報をスタッフに伝えるもの等がある。以下、医療施設や介護施設の施設内の形態にそって、情報通信端末や情報収集端末の例を説明する。
【００２２】
図におけるナースステーション２０は、医療施設や介護施設における患者や利用者が居る居室６０や病室に設置された呼出ボタン６２が押されると、その呼出ボタン６２が押された居室６０に、看護師やスタッフが向かうような仕組みである。その呼出ボタン６２が押された情報は、例えば電子計算機２４の画面に表示される。電子計算機２４に表示される内容としては、単に呼出ボタン６２が押されたというだけではなく、どの居室６０で押されたのかの情報も表示される。また、図示はしていないが、居室６０にスピーカやマイクが設置されているような場合には、電話機２２を介して、ナースステーション２０から居室６０に対して声を掛けることもできる。すなわち、ナースステーション２０と居室６０との間で、システム管理装置１０を介して、居室６０の呼出ボタン６２がどれであるかを把握した上で、各種の情報の交換が可能となっている。
【００２３】
尚、ナースステーションのシステム（ナースコールのシステム）は、本願発明の発明時よりも前の専用の制御盤を有して管理が行われた既存ナースナースコールシステムも既存として存在する（既存ナースコールシステム８０）。このような既存ナースコールシステム８０であってもシステム管理装置１０に接続して情報交換が可能な機能が、システム管理装置１０には設けられている。そして、例えば、呼出押ボタン８４を有するナースコール端末８２がシステム管理装置１０に接続され、システム管理装置１０を介して、ナースステーション２０の電子計算機２４や電話機２２との間で、ナースコール端末８２が具体的にどれであるかを把握した上で、情報の交換が可能である。尚、ナースコール端末８２は、マイクやスピーカを有する例で、ナースステーション２０の電話機２２により、音声によるやり取りも可能である。尚、上述では、ナースステーション２０に設けられた電子計算機２４で、情報を表示する場合を説明しているが、電子計算機２４の使用に限るものではなく、システム管理装置１０に接続された既存ナースコールシステム８０の表示盤（図示せず）に情報を表示させたりすることも可能である。
【００２４】
医療施設や介護施設において人の居る場所は、居室６０や病室に限るものではなく、食堂やホールや廊下やトイレといった共有スペース７０もある。このような共有スペース７０にも呼出ボタン７２やスピーカ７４が設けられ、使用者や患者の行動に係る各種の情報をやり取りするための情報通信端末や情報収集端末が設けられている。そして、共有スペース７０に設けられた情報通信端末や情報収集端末である呼出ボタン７２やスピーカ７４も、システム管理装置１０に接続されている。そして、居室６０の呼出ボタン６２と同様に、共有スペース７０に設けられた呼出ボタン７２が押されれば、共有スペース７０のどの呼出ボタン７２が押されたのか、例えばナースステーション２０の電子計算機２４に表示される。また、例えば、地震や火災が発生したような場合には、ナースステーション２０の電話機２２で、医療施設や介護施設の中の館内放送のようにしてスピーカ７４によって情報の伝達も可能である。
【００２５】
尚、居室６０や共有スペース７０に設けられる情報通信端末や情報収集端末は、上述の物（図示している物）に限られるものではなく、例えば、見守り用のカメラや各種センサ（見守り用のセンサや煙感知器のような防災用のセンサや患者がベッドから転落したことを検知するマットセンサ等）等がある。
【００２６】
尚、上述では、ナースステーション２０を軸にした説明を行ったが、スタッフの居る場所としては、事務所３０である施設もあり、事務所３０に設けられた電話機３２や放送装置３４で、上述のナースステーション２０と同じ機能を持たせることも可能である。また、ナースステーション２０や事務所３０に設けられる情報通信端末や情報収集端末は、上述の物（図示している物）に限られるものではなく、例えば、カメラ録画装置（防犯・監視システム）や内線・外線通話録音装置や留守番電話装置や緊急放送装置や緊急地震速報装置や防犯警報装置（火災報知装置等）等、様々である。
【００２７】
また、医療施設や介護施設の電話という点においても、上述の電話機２２や３２が、システム管理装置１０を介して公衆回線網３に接続され、施設の内部・外部に限らず通話が可能である。さらに、施設内の巡回スタッフ４０の持つ例えばコードレス電話機４４を、無線基地局４２を介して、システム管理装置１０に接続し、他の情報通信端末や情報収集端末と通話したり情報のやり取りを行うことも可能である。このコードレス電話機４４は、施設内だけで使用できる物の他、公衆回線網３と直接接続可能な携帯電話やスマートホンや携帯情報端末（タブレットＰＣ等）等であってもよい。このような公衆回線網３と直接接続できる端末の場合や、公衆回線網３に接続された施設外の情報通信端末や情報収集端末であっても、公衆回線網３を介してシステム管理装置１０と接続することで、施設内の情報通信端末や情報収集端末と同様なことをすることができる。
【００２８】
さらに、従来は警備用の各種装置として単独で動作していた施設の出入口５０等の監視カメラ５２やドアホン５４を、システム管理装置１０と接続することで、他の情報通信端末や情報収集端末と情報のやり取りが可能になる。尚、出入口５０等に設けられる警備用の各種装置であって情報通信端末や情報収集端末は、上述の物（図示している物）に限られるものではなく、例えば、玄関ドアに設けられる電気錠等のセンサ等の入退出管理システムや入退出の認証を行う生体認証システム等等がある。
【００２９】
尚、上述では、特定の情報通信端末や情報収集端末との間での情報のやり取りで説明を行っているが、情報交換について説明をしなかった情報通信端末や情報収集端末との間での情報のやり取りも任意に可能で、システム管理装置１０を介していれば、どのような使用の情報通信端末や情報収集端末であっても相互の接続が可能である。
【００３０】
以上のように構成される医療介護施設管理システム１によれば、システム管理装置１０が、各種の情報通信端末又は及び情報収集端末に対して自身が所持している機能やデータを提供することが可能で、且つ、各種の通信形態を有する各種の情報通信端末又は情報収集端末との間で情報の授受が可能なソフトウェア又は及びハードウェアを有していることから、ハードウェアやソフトウェア等のインタフェースが異なる各種の情報通信端末や情報収集端末との間の情報のやり取りが可能で、また、拡張性に優れたシステムを提供することが可能である。尚、システム管理装置１０を、特定のプロトコル等のプラットフォームに依存せずに、あらゆるタイプのプラットフォームを受け付けるプラットフォーム非依存にすることで、各種の情報通信端末又は及び情報収集端末を受け入れることが可能になる。
【００３１】
また、システム管理装置１０が、情報通信端末や情報収集端末との間の各種の情報を保存・管理可能な形態にすることで、スタッフが入退室や患者や利用者の行動履歴を、手書きで書類に保存する必要がなくなり、スタッフの事務の効率化や、患者や利用者の体調管理等が容易に行えるようになる。
【産業上の利用可能性】
【００３２】
本発明によれば、ハードウェアやソフトウェア等のインタフェースが異なる各種の情報通信端末や情報収集端末との間の情報のやり取りが可能で、また、拡張性に優れた医療介護施設管理システムを提供することができる。
【符号の説明】
【００３３】
１・・・・医療介護施設管理システム
３・・・・公衆回線網
１０・・・システム管理装置
１２・・・情報通信ネットワーク
２０・・・ナースステーション
２２・・・電話機
２４・・・電子計算機
３０・・・事務所
３２・・・電話機
３４・・・放送装置
４０・・・巡回スタッフ
４２・・・無線基地局
４４・・・コードレス電話機
５０・・・出入口
５２・・・監視カメラ
５４・・・ドアホン
６０・・・居室
６２・・・呼出ボタン
７０・・・共有スペース
７２・・・呼出ボタン
７４・・・スピーカ
８０・・・既存ナースコールシステム
８２・・・ナースコール端末
８４・・・呼出押ボタン
【図１】
2016224509.tif 000003